(57)【特許請求の範囲】
【請求項１】
ロータコアに形成された磁石挿入孔に挿入されて接着剤により固着された永久磁石を備える埋め込み磁石型モータのロータにおいて、
上記磁石挿入孔の内面及び／または上記永久磁石の表面に、上記ロータコアの軸方向に延在して形成され、上記永久磁石を磁石挿入孔に挿入する際に上記永久磁石の挿入をガイドする細条部材が係合可能な溝を有することを特徴とする埋め込み磁石型モータのロータ。
【請求項２】
上記ロータコアの径方向における上記磁石挿入孔及び上記永久磁石の断面形状がそれぞれ矩形状で、上記磁石挿入孔の４つの内面及び／または上記永久磁石の４つの表面にそれぞれ上記溝を有することを特徴とする請求項１に記載の埋め込み磁石型モータのロータ。
【請求項３】
ロータコアに形成された磁石挿入孔に挿入されて接着剤により固着された永久磁石を備える埋め込み磁石型モータのロータにおいて、
上記磁石挿入孔の内面及び／または上記永久磁石の表面に、上記ロータコアの軸方向に延在して形成された溝と、
上記溝に係合して上記永久磁石と磁石挿入孔とに接して上記接着剤により固着され、上記永久磁石を上記磁石挿入孔に挿入する際に上記永久磁石の挿入をガイド可能な細条部材とを有することを特徴とする埋め込み磁石型モータのロータ。
【請求項４】
上記ロータコアの径方向における上記磁石挿入孔及び上記永久磁石の断面形状がそれぞれ矩形状で、上記磁石挿入孔の４つの内面及び／または上記永久磁石の４つの表面にそれぞれ上記溝を有すると共に、各溝に対応して上記細条部材を有することを特徴とする請求項３に記載の埋め込み磁石型モータのロータ。
【請求項５】
ロータコアに形成された磁石挿入孔に接着剤により永久磁石を固着した埋め込み磁石型モータのロータを製造する方法において、
上記磁石挿入孔の内面に沿って該磁石挿入孔を貫通して細条部材を延在させ、該細条部材をガイドとして上記永久磁石を磁石挿入孔に挿入し、その後、上記磁石挿入孔と上記永久磁石との隙間に接着剤を充填して上記永久磁石を固着することを特徴とする埋め込み磁石型モータのロータ製造方法。
【請求項６】
ロータコアに形成された磁石挿入孔に接着剤により永久磁石を固着した埋め込み磁石型モータのロータを製造する方法において、
上記磁石挿入孔の内面及び／または上記永久磁石の表面に、上記ロータコアの軸方向に延在して溝を形成し、上記溝に係合しかつ上記磁石挿入孔を貫通して細条部材を延在させて、上記細条部材をガイドとして上記永久磁石を上記磁石挿入孔に挿入し、その後、上記磁石挿入孔と上記永久磁石との隙間に接着剤を充填して上記永久磁石を固着することを特徴とする埋め込み磁石型モータのロータ製造方法。
【請求項７】
上記ロータコアの径方向における上記磁石挿入孔及び上記永久磁石の断面形状をそれぞれ矩形状として、上記磁石挿入孔の４つの内面及び／または上記永久磁石の４つの表面にそれぞれ上記溝を形成することを特徴とする請求項６に記載の埋め込み磁石型モータのロータ製造方法。
【請求項８】
上記永久磁石を接着剤により上記磁石挿入孔に固着した後、上記細条部材の上記ロータコアから突出する部分を切除することを特徴とする請求項５〜７のいずれか１項に記載の埋め込み磁石型モータのロータ製造方法。
【請求項９】
上記磁石挿入孔と上記永久磁石との隙間に接着剤を充填した後、上記接着剤が硬化する前に上記細条部材を抜き取ることを特徴とする請求項５〜７のいずれか１項に記載の埋め込み磁石型モータのロータ製造方法。
【発明の詳細な説明】
【技術分野】
【０００１】
本発明は、ロータコアに界磁源としての永久磁石を埋め込んだ埋め込み磁石型モータのロータ及びその製造方法に関する。
【背景技術】
【０００２】
従来の埋め込み磁石型モータのロータ製造方法として、例えば図３に示すようなものが知られている。このロータ５１は、薄板鋼板を積層してなるロータコア５２に形成された磁石挿入孔５３を有しており、この磁石挿入孔５３内に界磁源としての永久磁石５４を挿入して接着剤５５により固着するようにしたものである。なお、磁石挿入孔５３は、ロータコア５２の周方向Ｒに等間隔に極数の整数倍形成されており、その各々はロータコア５２の軸方向Ｌに延在している。
【０００３】
上記のロータ５１を製造するにあたっては、既着磁の永久磁石５４を磁石挿入孔５３に挿入しようとすると、永久磁石５４がロータコア５２に磁気吸引されてその挿入が困難となるため、一般には、未着磁の磁石材を用意し、その表面に接着剤５５を塗布してロータコア５２の磁石挿入孔５３内に所定位置まで押し込み、その後、接着剤５５が硬化してから、ロータコア５２の外周から磁石材を磁化させて永久磁石５４とするようにしている。
【０００４】
ところが、このような従来の製造方法では、磁石挿入孔５３内での永久磁石５４の位置が、硬化した接着剤５５の厚みで決定されるため、永久磁石５４を正確な位置関係でロータコア５２に配置することが困難である。このため、各磁石挿入孔５３において、図４に拡大して示すように、永久磁石５４が磁石挿入孔５３のいずれかの面に偏って固着され、これにより各磁石挿入孔５３における永久磁石５４の径方向の固定位置にばらつきが生じて、ロータ５１のアンバランスや磁気回路の乱れによるトルクリプルなどが発生し、所望のモータ性能が得られなくなることが懸念される。
【０００５】
また、未着磁の磁石材に接着剤５５を塗布してから磁石挿入孔５３に挿入するまでの間に、磁石挿入孔５３の内面（接着面）に水分やごみ等の異物が付着したり、磁石材に塗布した接着剤５５が硬化したりして、磁石材のロータコア５２に対する接着力が低下することが懸念される。
【０００６】
さらに、磁石挿入孔５３に磁石材を挿入する際に、磁石材がロータコア５２に接触して磁石材表面のコーティング層が傷つけられ、その後の着磁において所望の磁気力が得られなくなる恐れがある。
【０００７】
また、磁石材の磁石挿入孔５３への挿入の際に、磁石材に塗布した接着剤５５が磁石挿入孔５３の口元で削られて、磁石挿入孔５３内における接着剤５５の充填率が低下し、磁石材のロータコア５２に対する接着力が低下することが懸念される。なお、この接着力の低下を防止するため、磁石挿入孔５３の口元での除去量を加味して、磁石材に多くの接着剤５５を塗布することが考えられるが、このようにすると接着剤５５の使用量が多くなってコストアップを招くことが懸念されると共に、磁石挿入孔５３の口元でより多くの接着剤５５が削られてその周囲に付着することになるため、特に、接着剤５５に磁性粉を混入させた場合には、磁気回路の乱れによるトルクリプルなどが発生して、所望のモータ性能が得られなくなることが懸念される。
【０００８】
さらに、磁石挿入孔５３への磁石材の挿入固着後、磁石材をロータコア５２の外周から着磁して永久磁石５４とする着磁工程を要するため、製造に時間がかかると共に、着磁のための設備も要し、コストアップを招くことが懸念される。
【０００９】
一方、磁石挿入孔５３内で永久磁石５４を所定位置に固定するようにしたロータとして、例えば図５に示すように、磁石挿入孔５３の内周側面の両側角部にバネ挿入用溝５６ａ、５６ｂを形成し、これらバネ挿入用溝５６ａ、５６ｂにそれぞれ固定用バネ５７ａ、５７ｂを圧入装着して、永久磁石５４を外周側の外方の交差する方向（Ａ、Ｂ方向）に付勢することにより、永久磁石５４を磁石挿入孔５３内で所定の半径方向位置及び周方向位置に固定するようにしたものが知られている（例えば、特許文献１参照）。
【００１０】
また、他のロータとして、例えば図６に示すように、磁石挿入孔５３内で、永久磁石５４の表面と、磁石挿入孔５３の内周側面との隙間に、磁性粉末を含む樹脂５８を充填した中空パイプ５９を挿入して、永久磁石５４を磁石挿入孔５３の外周側面に圧接するようにしたものも知られている（例えば、特許文献２参照）。
【００１１】
【特許文献１】特開２０００−３４１９２０号公報
【特許文献２】特開２００１−２５１９１号公報
【発明の開示】
【発明が解決しようとする課題】
【００１２】
しかしながら、上記特許文献１に開示のロータにあっては、各磁石挿入孔５３にバネ挿入用溝５６ａ、５６ｂを形成し、これらバネ挿入用溝５６ａ、５６ｂにそれぞれ固定用バネ５７ａ、５７ｂを圧入装着するため、磁石挿入孔５３の形状が複雑となって加工が煩雑化すると共に、部品点数も多くなり、コストアップを招くことが懸念される。
【００１３】
また、上記特許文献２に開示のロータにあっては、各磁石挿入孔５３に磁性粉末を含む樹脂５８を充填した中空パイプ５９を挿入することから、同様に部品点数が多くなってコストアップを招くことが懸念される。
【００１４】
従って、かかる事情に鑑みてなされた本発明の目的は、簡単かつ安価に製造できて、永久磁石を磁石挿入孔の所定位置に正確に位置決めして固着でき、所望のモータ特性が得られる埋め込み磁石型モータのロータ及びその製造方法を提供することにある。
【課題を解決するための手段】
【００１５】
上記目的を達成する請求項１に記載の埋め込み磁石型モータのロータの発明は、ロータコアに形成された磁石挿入孔に挿入されて接着剤により固着された永久磁石を備える埋め込み磁石型モータのロータにおいて、上記磁石挿入孔の内面及び／または上記永久磁石の表面に、上記ロータコアの軸方向に延在して形成され、上記永久磁石を磁石挿入孔に挿入する際に上記永久磁石の挿入をガイドする細条部材が係合可能な溝を有することを特徴とする。
【００１６】
請求項２に記載の発明は、請求項１の埋め込み磁石型モータのロータにおいて、上記ロータコアの径方向における上記磁石挿入孔及び上記永久磁石の断面形状がそれぞれ矩形状で、上記磁石挿入孔の４つの内面及び／または上記永久磁石の４つの表面にそれぞれ上記溝を有することを特徴とする。
【００１７】
請求項３に記載の埋め込み磁石型モータのロータの発明は、ロータコアに形成された磁石挿入孔に挿入されて接着剤により固着された永久磁石を備える埋め込み磁石型モータのロータにおいて、上記磁石挿入孔の内面及び／または上記永久磁石の表面に、上記ロータコアの軸方向に延在して形成された溝と、上記溝に係合して上記永久磁石と磁石挿入孔とに接して上記接着剤により固着され、上記永久磁石を上記磁石挿入孔に挿入する際に上記永久磁石の挿入をガイド可能な細条部材とを有することを特徴とする。
【００１８】
請求項４に記載の発明は、請求項３の埋め込み磁石型モータのロータにおいて、上記ロータコアの径方向における上記磁石挿入孔及び上記永久磁石の断面形状がそれぞれ矩形状で、上記磁石挿入孔の４つの内面及び／または上記永久磁石の４つの表面にそれぞれ上記溝を有すると共に、各溝に対応して上記細条部材を有することを特徴とする。
【００１９】
さらに、上記目的を達成する請求項５に記載の埋め込み磁石型モータのロータ製造方法の発明は、ロータコアに形成された磁石挿入孔に接着剤により永久磁石を固着した埋め込み磁石型モータのロータを製造する方法において、上記磁石挿入孔の内面に沿って該磁石挿入孔を貫通して細条部材を延在させ、該細条部材をガイドとして上記永久磁石を磁石挿入孔に挿入し、その後、上記磁石挿入孔と上記永久磁石との隙間に接着剤を充填して上記永久磁石を固着することを特徴とする。
【００２０】
上記目的を達成する請求項６に記載の埋め込み磁石型モータのロータ製造方法の発明は、ロータコアに形成された磁石挿入孔に接着剤により永久磁石を固着した埋め込み磁石型モータのロータを製造する方法において、上記磁石挿入孔の内面及び／または上記永久磁石の表面に、上記ロータコアの軸方向に延在して溝を形成し、上記溝に係合しかつ上記磁石挿入孔を貫通して細条部材を延在させて、上記細条部材をガイドとして上記永久磁石を上記磁石挿入孔に挿入し、その後、上記磁石挿入孔と上記永久磁石との隙間に接着剤を充填して上記永久磁石を固着することを特徴とする。
【００２１】
請求項７に記載の発明は、請求項６の埋め込み磁石型モータのロータ製造方法において、上記ロータコアの径方向における上記磁石挿入孔及び上記永久磁石の断面形状をそれぞれ矩形状として、上記磁石挿入孔の４つの内面及び／または上記永久磁石の４つの表面にそれぞれ上記溝を形成することを特徴とする。
【００２２】
請求項８に記載の発明は、請求項５〜７のいずれか１項の埋め込み磁石型モータのロータ製造方法において、上記永久磁石を接着剤により上記磁石挿入孔に固着した後、上記細条部材の上記ロータコアから突出する部分を切除することを特徴とする。
【００２３】
請求項９に記載の発明は、請求項５〜７のいずれか１項の埋め込み磁石型モータのロータ製造方法において、上記磁石挿入孔と上記永久磁石との隙間に接着剤を充填した後、上記接着剤が硬化する前に上記細条部材を抜き取ることを特徴とする。
【発明の効果】
【００２４】
請求項１の発明によると、永久磁石を磁石挿入孔に挿入する際に、磁石挿入孔を貫通させて磁石挿入孔の内面及び／または永久磁石の表面に形成されている溝に剛性を有する糸等の細条部材を係合させることにより、細条部材に沿って永久磁石の挿入をガイドすることが可能となる。従って、既着磁の永久磁石を用いて、簡単かつ安価な構成で、永久磁石をロータコアに接触させることなく磁石挿入孔に誘導して容易に挿入することができると共に、細条部材の太さによって永久磁石と磁石挿入孔との間のクリアランスが制御できるので、永久磁石を磁石挿入孔の所定位置に正確に位置決めして固着することができ、所望のモータ特性を得ることが可能となる。
【００２５】
請求項２の発明によると、永久磁石の４つの面をそれぞれ細条部材によりガイドして磁石挿入孔に誘導して挿入できると共に、各面の細条部材の太さによって永久磁石と磁石挿入孔とのクリアランスを制御することができる。従って、既着磁の永久磁石をロータコアに接触させることなく、より簡単に磁石挿入孔に誘導して挿入することが可能になると共に、永久磁石を磁石挿入孔の所定位置に、より正確に位置決めして固着することが可能となる。
【００２６】
請求項３の発明によると、永久磁石を磁石挿入孔に挿入する際に、磁石挿入孔を貫通させて磁石挿入孔の内面及び／または永久磁石の表面に形成されている溝に細条部材を係合させることにより、細条部材に沿って永久磁石の挿入をガイドし、永久磁石の固着後は、細条部材をロータコアの軸方向寸法にほぼ一致するように切除して構成することができる。ここで、細条部材は、剛性を有する糸等の極めて安価な部材で構成できるので、請求項１のロータと同様に、簡単かつ安価な構成で、既着磁の永久磁石をロータコアに接触させることなく磁石挿入孔に誘導して容易に挿入することができると共に、細条部材の太さによって永久磁石と磁石挿入孔との間のクリアランスが制御できるので、永久磁石を磁石挿入孔の所定位置に正確に位置決めして固着することができ、所望のモータ特性を得ることが可能となる。
【００２７】
請求項４の発明によると、請求項２のロータと同様に、既着磁の永久磁石をロータコアに接触させることなく、より簡単に磁石挿入孔に誘導して挿入することが可能になると共に、永久磁石を磁石挿入孔の所定位置により正確に位置決めして固着することが可能となる。
【００２８】
請求項５の発明によると、永久磁石を磁石挿入孔に挿入する際は、磁石挿入孔を貫通させた細条部材に沿って永久磁石の挿入をガイドするので、既着磁の永久磁石をロータコアに接触させることなく磁石挿入孔に誘導して簡単に挿入することができると共に、細条部材の太さによって永久磁石と磁石挿入孔との間のクリアランスを制御することができる。また、永久磁石を磁石挿入孔に挿入した後、磁石挿入孔と永久磁石との隙間に接着剤を充填するので、接着剤の無駄を省くことができると共に、接着面への異物の付着や接着剤の不所望な硬化による接着力の低下も防止することができる。従って、所望のモータ特性が得られるロータを簡単かつ安価に製造することが可能となる。
【００２９】
請求項６の発明によると、永久磁石を磁石挿入孔に挿入する際は、磁石挿入孔を貫通させて磁石挿入孔の内面及び／または永久磁石の表面に形成されている溝に剛性を有する糸等の細条部材を係合させ、その細条部材に沿って永久磁石の挿入をガイドするので、既着磁の永久磁石をロータコアに接触させることなく磁石挿入孔に誘導して簡単に挿入することができると共に、細条部材の太さによって永久磁石と磁石挿入孔との間のクリアランスを制御することができる。また、永久磁石を磁石挿入孔に挿入した後、磁石挿入孔と永久磁石との隙間に接着剤を充填するので、接着剤の無駄を省くことができると共に、接着面への異物の付着や接着剤の不所望な硬化による接着力の低下も防止することができる。従って、所望のモータ特性が得られるロータを簡単かつ安価に製造することが可能となる。
【００３０】
請求項７の発明によると、永久磁石の４つの面をそれぞれ細条部材によりガイドして磁石挿入孔に誘導して挿入できると共に、各面の細条部材の太さによって永久磁石と磁石挿入孔とのクリアランスを制御することができる。従って、永久磁石をロータコアに接触させることなく、より簡単に磁石挿入孔に誘導して挿入することができると共に、永久磁石を磁石挿入孔の所定位置により正確に位置決めして固着することができ、所望のモータ特性が得られるロータをより簡単に製造することが可能となる。
【００３１】
請求項８の発明によると、磁石挿入孔への永久磁石の固着後は、ロータコアから突出する細条部材を切除すれば済むので、ロータをより簡単に製造することが可能となる。
【００３２】
請求項９の発明によると、接着剤の充填後は、接着剤が硬化する前に細条部材を抜き取るので、細条部材を治具あるいは要具として使用でき、よりコストダウンを図ることが可能となる。
【発明を実施するための最良の形態】
【００３３】
以下、本発明による埋め込み磁石型モータのロータ及びその製造方法の実施の形態について図１及び図２を参照して説明する。
【００３４】
図１は本発明の実施の形態におけるロータ製造方法を説明するための図、図２は製造したロータの部分拡大図である。
【００３５】
図１に示すように、本実施の形態では、薄板鋼板を積層してなるロータコア２に、極数の整数倍の磁石挿入孔３を周方向Ｒに等間隔に形成する。各磁石挿入孔３は、ロータコア２の径方向Ｄにおける断面形状を矩形として、ロータコア２の軸方向Ｌに貫通して形成すると共に、その径方向Ｄ、すなわち外周側と内周側の内面３ａ、３ｂ及び周方向Ｒの内面３ｃ、３ｄの４面には、ロータコア２の軸方向Ｌに延在して剛性を有する糸等からなる細条部材４が係合可能な溝５を形成する。
【００３６】
本実施の形態では、外周側の内面３ａに４つの溝５を形成し、内周側の内面３ｂには外周側の隣接する溝間に位置するように３つの溝５を形成し、周方向Ｒの両内面３ｃ、３ｄにはそれぞれ１つの溝５を形成する。
【００３７】
また、磁石挿入孔３に挿入される永久磁石６は、磁石挿入孔３と相似の断面矩形状で既着磁のものを用い、磁石挿入孔３に所定の位置関係で挿入された状態で、磁石挿入孔３の内面３ａ〜３ｄとそれぞれ対向する表面６ａ〜６ｄには、磁石挿入孔３側の各溝５に対応してそれぞれ細条部材４が係合可能な溝７を形成する。すなわち、本実施の形態の場合には、内面３ａと対向する表面６ａに４つの溝７を形成し、内面３ｂと対向する表面６ｂには３つの溝７を形成し、内面３ｃ、３ｄと対向する表面６ｃ、６ｄにはそれぞれ１つの溝７を形成する。
【００３８】
本実施の形態では、磁石挿入孔３に永久磁石６を固着するにあたって、先ず、磁石挿入孔３を貫通して各溝５に細条部材４を係合保持させる。次に、挿入すべき永久磁石６に形成された各溝７に、磁石挿入孔３から突出して対応する細条部材４を係合させて、これら細条部材４をガイドとして永久磁石６を磁石挿入孔３内に挿入する。その後、磁石挿入孔３と永久磁石６との隙間に接着剤８を充填して、接着剤８を硬化させることにより永久磁石６を磁石挿入孔３内に固着する。
【００３９】
永久磁石６が固着されたら、最後に、図２に部分拡大図を示すように、ロータコア２から突出する細条部材４を切除してロータ１を得る。
【００４０】
このように、本実施の形態では、ロータコア２の径方向Ｄにおける磁石挿入孔３及び永久磁石６の断面形状をそれぞれ矩形状として、磁石挿入孔３の４つの内面３ａ〜３ｄにそれぞれロータコア２の軸方向Ｌに貫通して溝５を形成する一方、永久磁石６の４つの表面６ａ〜６ｄに、該永久磁石６が磁石挿入孔３に所定の位置関係で挿入された状態で磁石挿入孔３側の各溝５にそれぞれ対応する溝７を形成し、磁石挿入孔３を貫通して各溝５に細条部材４を係合保持した状態で、磁石挿入孔３から突出する各細条部材４を、挿入すべき永久磁石６に形成された対応する溝７にそれぞれ係合させて、これら細条部材４をガイドとして永久磁石６を磁石挿入孔３内に挿入するようにしたので、既着磁の永久磁石６をロータコア２に接触させることなく磁石挿入孔３に誘導して簡単に挿入することができる。また、細条部材４の太さによって永久磁石６と磁石挿入孔３との間のクリアランスが制御できるので、永久磁石６を磁石挿入孔３内の所定の位置に正確に挿入することができる。
【００４１】
さらに、永久磁石６を磁石挿入孔３に挿入した後、磁石挿入孔３と永久磁石６との隙間に接着剤８を充填するので、接着剤８の無駄を省くことができると共に、接着面への異物の付着や接着剤の不所望な硬化による接着力の低下も防止することができる。
【００４２】
さらに、接着剤８の充填後、細条部材４をロータコア２の軸方向Ｌに移動させて接着剤８に空気を送り込み、これにより接着剤８の硬化時間を短縮することもできる。
【００４３】
また、既着磁の永久磁石６を磁石挿入孔３に直接挿入できることから、従来のような挿入後の着磁工程やその設備が不要となる。従って、所望のモータ特性が得られるロータを簡単かつ安価に製造することができる。
【００４４】
また、従来のように未着磁の磁石材に接着剤を塗布して磁石挿入孔に挿入した後に磁石材を着磁した永久磁石に比べ、本実施の形態のように予め着磁させて永久磁石６を準備することにより磁力の増加が得られ、例えば実験、シミュレーションによれば磁力を５％増加させることができ、モータの出力トルクの増大が期待できる。
【００４５】
なお、本発明は上記実施の形態に限定されることなく、発明の趣旨を逸脱しない範囲で種々変更可能である。例えば、上記実施の形態では、磁石挿入孔３に永久磁石６を挿入し接着剤８が硬化して固着した後、ロータコア２から突出する細条部材４を切除するようにしたが、接着剤８が硬化する前に細条部材４を抜き取るようにすることもできる。この場合は、細条部材４を治具あるいは要具として繰り返し使用できるので、よりコストダウンを図ることができる。また、細条部材４に係合する溝は、磁石挿入孔３側のみ、あるいは永久磁石６側のみに形成することもできる。また、その溝の数も、永久磁石６と磁石挿入孔３との間のクリアランスを所望の値にできればよいので、例えば、磁石挿入孔３側または永久磁石６側のみに溝を形成する場合には、隣接する２面にそれぞれ１本ずつ形成したり、磁石挿入孔３及び永久磁石６の双方に溝を形成する場合には、磁石挿入孔３の１面とそれに対向する永久磁石６の１面とにのみ、それぞれ少なくとも２本の溝を形成したり、適宜変更することが可能である。
【図面の簡単な説明】
【００４６】
【図１】本発明の実施の形態におけるロータ製造方法を説明するための図である。
【図２】図１で説明した製造方法によって製造したロータを示す部分拡大図である。
【図３】従来のロータ製造方法を説明するための図である。
【図４】従来の製造方法による問題を説明するための図である。
【図５】従来のロータの一例を示す図である。
【図６】同じく、他の例を示す図である。
【符号の説明】
【００４７】
１    ロータ
２    ロータコア
３    磁石挿入孔
３ａ〜３ｄ    内面
４    細条部材
５    溝
６    永久磁石
６ａ〜６ｄ    表面
７    溝
８    接着剤
Ｌ    ロータコアの軸方向
【図１】
0004704149.tif 000002
【図２】
0004704149.tif 000003
【図３】
0004704149.tif 000004
【図４】
0004704149.tif 000005
【図５】
0004704149.tif 000006
【図６】
0004704149.tif 000007